(57)【要約】【課題】多様な用途に用いることが可能なスクリーン等を提供する。【解決手段】一方の面側に投射された投射光に基づいて、一方の面側又は当該一方の面とは反対側の他方の面側に画像を表示するスクリーンであって、一方の面側から投射された投射光に基づいて画像を形成する画像形成層と、この画像形成層に積層されて該画像形成層を支持する基板層と、を備えた複数のスクリーン構成部材１０が組み合わされることによって構成され、スクリーン構成部材１０は、その周縁の少なくとも一部にスクリーン構成部材１０同士を着脱可能に接合させる接合構造をそれぞれ備えているスクリーン等により上記の課題を解決する。【選択図】図２
2017026982.tif 000002
【特許請求の範囲】
【請求項１】
一方の面側に投射された投射光に基づいて、前記一方の面側又は該一方の面とは反対側の他方の面側に画像を表示するスクリーンであって、
前記一方の面側から投射された投射光に基づいて画像を形成する画像形成層と、該画像形成層に積層されて該画像形成層を支持する基板層と、を備えた複数のスクリーン構成部材が組み合わされることによって構成され、
前記スクリーン構成部材は、その周縁の少なくとも一部に前記スクリーン構成部材同士を着脱可能に接合させる接合構造をそれぞれ備えていることを特徴とするスクリーン。
【請求項２】
請求項１に記載のスクリーンにおいて、
前記接合構造が、前記画像形成層及び前記基板層によって一体的に設けられている、スクリーン。
【請求項３】
請求項１に記載のスクリーンにおいて、
前記接合構造が前記基板層に設けられている、スクリーン。
【請求項４】
請求項３に記載のスクリーンにおいて、
一の前記スクリーン構成部材の前記画像形成層の周縁が、隣接する他の前記スクリーン構成部材の前記画像形成の周縁と接して各スクリーン構成部材が接合されている、スクリーン。
【請求項５】
請求項１〜４のいずれか１項に記載のスクリーンにおいて、
前記画像形成層は、前記一方の面側から投射された前記投射光を拡散させ、前記他方の面側から拡散光を出射させる光拡散層と、前記光拡散層に積層され、前記光拡散層から出射された前記拡散光の色調を補正する色調補正層とによって構成されている、スクリーン。
【請求項６】
請求項１〜４のいずれか１項に記載のスクリーンにおいて、
前記画像形成層は、前記一方の面側から投射された前記投射光を拡散させ、前記他方の面側から拡散光を出射させる光拡散層と、前記光拡散層に積層され、前記光拡散層から出射された前記拡散光の色調を補正する色調補正層とによって構成され
一の前記スクリーン構成部材の前記光拡散層又は前記色調補正層の少なくとも一方の周縁が、隣接する他のスクリーン構成部材の前記光拡散層又は前記色調補正層の周縁のいずれかと接して各スクリーン構成部材が接合されている、スクリーン。
【請求項７】
請求項１〜６のいずれか１項に記載のスクリーンにおいて、
前記接合構造は、
前記スクリーン構成部材の前記１辺で外側に突出した少なくとも１つの凸部又は内側に窪んだ少なくとも１つの凹部により構成され、
一のスクリーン構成部材の前記凸部が他のスクリーン構成部材の前記凹部に嵌め込まれることによってスクリーン構成部材同士が接合される構造である、スクリーン。
【請求項８】
請求項７に記載のスクリーンにおいて、
前記凸部と前記凹部とが各スクリーン構成部材の前記一辺に少なくとも１つずつ前記一辺に沿って並べて配置されている、スクリーン。
【請求項９】
請求項１〜８のいずれか１項に記載のスクリーンにおいて、
前記スクリーン構成部材の広がる方向が相互に傾けられて、前記スクリーン構成部材同士が接合される部分が設けられることによって立体的に組み合わされている、スクリーン。
【請求項１０】
一方の面側に投射された投射光に基づいて、前記一方の面側又は該一方の面とは反対側の他方の面側に画像を表示するスクリーンを構成するスクリーン構成部材であって、
前記一方の面側から投射された投射光に基づいて画像を形成する画像形成層と、該画像形成層に積層されて該画像形成層を支持する基板層と、を備え、
多角形に形成された周縁の少なくとも１辺に、他のスクリーン構成部材を着脱可能に接合させる接合構造を備えていることを特徴とするスクリーン構成部材。
【請求項１１】
請求項１０に記載のスクリーン構成部材において、
前記画像形成層は、前記一方の面側から投射された前記投射光を拡散させ、前記他方の面側から拡散光を出射させる光拡散層と、前記光拡散層に積層され、前記光拡散層から出射された前記拡散光の色調を補正する色調補正層とによって構成されている、スクリーン構成部材。
【発明の詳細な説明】
【技術分野】
【０００１】
本発明は、投射された投射光に基づいて映像を表示するスクリーン及びスクリーンを構成するスクリーン構成部材に関する。
【背景技術】
【０００２】
スクリーンは、光源から投影された投影光に基づいて映像を表示させる構成物として、従来から知られている。スクリーンの表示方法は、２つの形態に大別することができる。１つの形態は、スクリーンの背面側に置かれた光源からスクリーンに投影光を投射し、投射された投影光を前面側（観察者側）に表示させるリアプロジェクションである。他の形態は、１つのスクリーンの前面側（観察者側）に置かれた光源からスクリーンに投影光を投射し、投射された投影光を前面側（観察者側）に表示させるフロントプロジェクションである。
【０００３】
リアプロジェクションに用いられるスクリーンとしては、例えば、光源から出射された画像光を透過型フィルムに投射し、観察者が光源の反対側から透過型フィルムの透過光として投射画像の観察を行う内照式広告装置の画面に用いられる内照式広告用透過型フィルムがある（例えば、特許文献１）。
【０００４】
この内照式広告用透過型フィルムは、透明な樹脂フィルムからなる基材シートの光源側に、樹脂バインダーとして平均粒径１〜１００μｍの光拡散ビーズを均一に分散した光拡散層を備えている一方で、基材シートの反対側に樹脂バインダーに着色顔料が均一に分散した着色層を備えている。
【先行技術文献】
【特許文献】
【０００５】
【特許文献１】特開２００３−２２８３０５号公報
【発明の概要】
【発明が解決しようとする課題】
【０００６】
しかしながら、上記の特許文献１に記載された内照式広告用透過型フィルムを含む従来のスクリーンは、四角形に形成されたものを平面状に設置するか又は緩やかに湾曲させて設置して使用することしか想定されていなかった。
【０００７】
そのため、（１）映像を多面的に表示させること、（２）形状を自在に形成すること、（３）大きさを自在に変更することといった多様な用途に用いることができないでいた。
【０００８】
本発明は、従来の課題を解決するためになされたものであり、その目的は、多様な用途に用いることが可能なスクリーンを提供することにある。
【課題を解決するための手段】
【０００９】
上述した課題を解決するための本発明に係る一実施形態のスクリーン等は、一方の面側に投射された投射光に基づいて、前記一方の面側又は該一方の面とは反対側の他方の面側に画像を表示するスクリーンであって、前記一方の面側から投射された投射光に基づいて画像を形成する画像形成層と、該画像形成層に積層されて該画像形成層を支持する基板層と、を備えた複数のスクリーン構成部材が組み合わされることによって構成され、前記スクリーン構成部材は、その周縁の少なくとも一部に前記スクリーン構成部材同士を着脱可能に接合させる接合構造をそれぞれ備えていることを特徴とする。
【００１０】
この構成により、本発明の一実施形態におけるスクリーン等は、上記のスクリーン構成部材を組み合わせることによって、スクリーンの形状を所定の形状に自在に形成することができる。具体的に、当該スクリーン等では、一般に用いられている平板状かつ四角形のスクリーンを形成することができるだけでなく、映像が表示されない非表示領域を有するスクリーン、多面構造のスクリーン等のスクリーンを形成することができる。また、スクリーンの大きさも所定の大きさに自由に形成することができる。
【００１１】
したがって、（１）映像を多面的に表示させること、（２）形状を自在に形成すること、（３）大きさを自在に変更することが可能となり、多様な用途に用いることができる。
【発明の効果】
【００１２】
本発明に係る一実施形態のスクリーン等によれば、多様な用途に用いることを可能にする。
【図面の簡単な説明】
【００１３】
【図１】本発明に係る一実施形態のスクリーンの層構成を模式的に示した断面図である。
【図２】一実施形態のスクリーン構成部材及びスクリーン構成部材を接合させた形態を示す平面図である。
【図３】基板層のみに接合構造が形成されたスクリーン構成部材及びこのスクリーン構成部材を接合させた形態を示す平面図である。
【図４】種々の接合構造の形態を説明するために示したスクリーン構成部材の平面図である。
【図５】三角形をベースに形成したスクリーン構成部材を２個組み合わせた形態を示した平面図である。
【図６】１辺のみに接合構造が設けられた２つのスクリーン構成部材及び２つのスクリーン構成部材で構成されたスクリーンを説明するための説明図である。
【図７】対向する２辺に接合構造が設けられたスクリーン構成部材及びこのスクリーン構成部材を接合させた形態を示す平面図である。
【図８】周縁に曲線部を有するスクリーン構成部材及びこのスクリーン構成部材を接合した形態を説明するための平面図である。
【図９】図８のスクリーン構成部材とは異なる形態のスクリーン構成部材を接合して形成されたスクリーンの平面図である。
【図１０】スクリーン構成部材を複数接合して構成されたスクリーンの平面図である。
【図１１】映像が表示されない非表示領域を備えたスクリーンの平面図である。
【図１２】複数の面で構成された多面構造のスクリーンの一例を示す斜視図である。
【図１３】２枚のスクリーンが相互に傾けられて接合された多面構造のスクリーンの一例を示す斜視図である。
【図１４】周面及び上面がスクリーンで構成された多面構造のスクリーンを説明するための説明図である。
【図１５】切頂二十面体に形成された多面構造のスクリーンの一部を切り欠いた斜視図である。
【図１６】液体の中にスクリーンを沈めて用いる形態の一例を説明するための説明図である。
【発明を実施するための形態】
【００１４】
以下、本発明に係るスクリーン及びこのスクリーンを構成するためのスクリーン構成部材の実施形態について、図面を参照しながら説明する。ただし、本発明は、その技術的思想を含む範囲で以下の実施形態に限定されない。
【００１５】
［１］スクリーンの構成及び概要
まず、図１を用いて本実施形態のスクリーン１の構成及び概要について説明する。なお、図１は、本実施形態のスクリーン１の層構成を模式的に示した断面図である。
【００１６】
本実施形態のスクリーン１は、一方の面側に投射された投射光に基づいて、一方の面とは反対側の他方の面側に画像を表示するリアプロジェクションタイプのスクリーン、及び一方の面側に画像を表示するフロントプロジェクションタイプのスクリーンの両方に適用される。なお、図１（Ａ）は、リアプロジェクションタイプのスクリーンを示し、図１（Ｂ）は、フロントプロジェクションタイプのスクリーンを示している。
【００１７】
スクリーン１は、図１（Ａ）及び図１（Ｂ）に示すように、一方の面側に投射された投射光に基づいて、一方の面側又はこの一方の面とは反対側の他方の面側に画像を表示する。スクリーン１は、一方の面側から投射された投射光に基づいて画像を形成する画像形成層２Ａと、この画像形成層２Ａに積層されて当該画像形成層２Ａを支持する基板層４と、を備えている。
【００１８】
画像形成層２Ａは、例えば、光拡散層２及び色調補正層３が積層されることによって、構成される。光拡散層２は、一方の面側から投射された投射光を拡散させ、他方の面側から拡散光を出射させる層である。色調補正層３は、光拡散層２から出射された拡散光の色調を補正する層である。この色調補正層３は、光拡散層２に積層されている。基板層４は、積層された光拡散層２及び色調補正層３を含む層を支持するための層である。以下、リアプロジェクションタイプのスクリーン１とフロントプロジェクションタイプのスクリーン１とに分けて説明する。
【００１９】
まず、図１（Ａ）を参照して、リアプロジェクションタイプのスクリーン１の一例について説明する。リアプロジェクションタイプのスクリーン１では、光源ＬＳが配置された図の右側から観察者Ｏが位置する図の左側に向かって、光拡散層２、色調補正層３、基板層４の順番に各層が積層されている。
【００２０】
光拡散層２は、光源ＬＳから投射された投射光を拡散させる機能を有する層である。この光拡散層２は、透明樹脂からなるベース部２ａとこのベース部２ａに分散された拡散成分２ｂとを有している。
【００２１】
光拡散層２は、ベース部２ａと拡散成分２ｂとの間の屈折率差に起因するか、又は拡散成分２ｂ自体が有する反射性に起因して光を拡散させる構造を有している。なお、光拡散層２の拡散機能によって投射光が拡散されて画像が表示される際の垂直方向における視野角を得ることができるようになっている。
【００２２】
ベース部２ａを形成する透明樹脂としては、例えば、メチルメタクリレート・ブタジエン・スチレン共重合体からなる樹脂（ＭＢＳ樹脂）、アクリル樹脂、ポリカーボネート樹脂（ＰＣ樹脂）等を用いることができる。
【００２３】
一方、拡散成分２ｂとしては、プラスチックビーズ等の有機フィラーが好適であり、特に透明度が高いものが好ましい。プラスチックビーズとしては、メラミンビーズ、アクリルビーズ、アクリル−スチレンビーズ、ポリカーボネートビーズ、ポリエチレンビーズ、ポリスチレンビーズ、塩化ビニルビーズ等を挙げることができる。なお、アクリルビーズがより好ましく、また、拡散成分２ｂを気泡で構成することもできる。
【００２４】
この光拡散層２の厚さは、０．１ｍｍ以上２．０ｍｍ以下であることが好ましく、０．２ｍｍ以上１．５ｍｍ以下であることがより好ましい。光拡散層２の厚さが０．１ｍｍより薄くなると光の拡散効果を十分に得られないおそれがある。ただし、光拡散層２の厚さが２．０ｍｍを超えると映像がぼやけてしまう可能性がある。
【００２５】
色調補正層３は、光拡散層２よりも観察者Ｏ側に設けられ、所定の色及び濃度で着色されたシート状の部材である。この色調補正層３は、観察者Ｏ側からスクリーン１に投射する外光を吸収する機能、スクリーン１内で生じた迷光等を吸収する機能、光源ＬＳの非点灯時の観察画面の黒味を向上させて観察画面の外観の品位を向上させる機能を有している。
【００２６】
色調補正層３は、光吸収材や着色剤を含有した透明樹脂により形成されている。色調補正層３のベース部２ａとなる透明樹脂は、ＭＢＳ樹脂や、アクリル樹脂、ＰＣ樹脂、ポリエチレンテレフタレート樹脂（ＰＥＴ樹脂）等を用いることができる。また、光吸収材は、カーボンブラック、グラファイト、黒色酸化鉄等の金属塩等が用いられ、着色剤としては、グレー系や黒色系等の暗色系の染料や顔料等を用いることができる。
【００２７】
色調補正層３の厚さは、１０〜２００μｍの範囲内が好ましく、３０〜１５０μｍの範囲内とすることがより好ましい。色調補正層３の厚みが１０μｍ未満である場合、外光等を吸収する作用が不十分となるおそれがある。これに対し、色調補正層３の厚さが２００μｍを超えた場合、映像光の透過率が低下するだけでなく、光源ＬＳの出力を高めなければならず、消費電力が増大するおそれがある。
【００２８】
本実施形態の光拡散層２と色調補正層３とは、共押し出し成形することにより一体に形成されており、光拡散層２と色調補正層３の間には、接着層等を有していない。ただし、光拡散層２と色調補正層３とは、各々を別々に成形し、図示しない接着層で一体に積層してもよい。
【００２９】
基板層４は、光透過性を有する板状の部材により形成されている。この基板層４は、スクリーン１のベースとなる層であり、スクリーン１の剛性及び強度を高める機能を有している。
【００３０】
基板層４は、透光性を有していれば特に限定されることはない。基板層４を構成する材料としては、例えば、ポリエチレンテレフタレート（ＰＥＴ）、ポリブチレンテレフタレート、ポリエチレンナフタレート、テレフタル酸−イソフタル酸−エチレングリコール共重合体、テレフタル酸−シクロヘキサンジメタノール−エチレングリコール共重合体などのポリエステル系樹脂、ナイロン６等のポリアミド系樹脂、ポリプロピレン、ポリメチルペンテン等のポリオレフィン系樹脂、ポリメチルメタクリレートなどのアクリル系樹脂、ポリスチレン、スチレン−アクリロニトリル共重合体等のスチレン系樹脂、トリアセチルセルロース等のセルロース系樹脂、イミド系樹脂、ポリカーボネート樹脂等を挙げることができる。
【００３１】
基板層４の厚さは、設置された状態のスクリーン１の強度を維持することができれば、特に限定はない。基板層４の厚さは、例えば、０．３ｍｍ以上、１０．０ｍｍ以下の範囲に形成すればよい。
【００３２】
接着層５は、基板層４と色調補正層３とを接着させることによって、基板層４と色調補正層３とを積層させている。接着層５に用いられる接着剤は、光を透過させることができれば特に限定されるものではない。接着層５としては、例えば、紫外線硬化樹脂などを用いることができる。
【００３３】
なお、本実施形態のスクリーン１は、必要に応じ、照明光や太陽光等の外光によるコントラスト低下等を防止するための層６を設けることができる。コントラスト低下等を防止するための層６としては、例えば、光透過層と遮光層とが交互に配列されたルーバー構造のルーバー層や、レンズ面及び非レンズ面が複数配列されたフレネルレンズ層を挙げることができる。図１の一点鎖線よりも下側には、コントラスト低下等を防止するための層６としてフレネルレンズ層を一例として示している。
【００３４】
次に、図１（Ｂ）を参照して、フロントプロジェクションタイプのスクリーン１の一例について説明する。フロントプロジェクションタイプのスクリーン１では、光源ＬＳが配置されるとともに観察者Ｏが位置する図の左側から、図の右側に向かって、表面層９、色調補正層３、光拡散層２、レンズ層８ａ、反射層８ｂ、光吸収層７、基板層４の順番に各層が積層されている。
【００３５】
なお、光拡散層２の構成及び機能等、色調補正層３の構成及び機能等、並びに基板層４の構成及び機能等は、図１（Ａ）に示したリアプロジェクションタイプのスクリーン１の光拡散層２、色調補正層３及び基板層４のものと同様なので、ここでは、その説明を省略する。
【００３６】
表面層９は、必要に応じ、光源ＬＳ及び観察者Ｏ側に設けられる層である。この表面層９はスクリーン１の表面が傷付くことを抑制するハードコート機能及びスクリーン１への映り込みを低減する機能を有している。
【００３７】
レンズ層８ａは、例えば、光拡散層２の背面側に設けられた光透過性を有する層であって、背面側が同心円状に複数配列されたサーキュラーフレネルレンズ形状に形成された層である。このレンズ層８ａは、例えば、ウレタンアクリレートやエポキシアクリレート等の紫外線硬化型樹脂により形成されている。
【００３８】
反射層８ｂは、光を反射する作用を有する層である。この反射層８は、例えば、サーキュラーフレネルレンズ形状に形成された背面側に形成される。
【００３９】
光吸収層７は、レンズ層８ａ及び反射層８ｂよりも背面側に設けられており、光を吸収する機能を有している。光吸収層７は、熱硬化型樹脂又は紫外線硬化型樹脂を、反射層８ｂの背面に塗布して硬化させることにより形成される。
【００４０】
上記の構成を有する本実施形態のスクリーン１は、複数のスクリーン構成部材が接合されることによって構成される。このスクリーン構成部材の周縁の少なくとも一部には、スクリーン構成部材同士を着脱可能に接合させる接合構造２０をそれぞれ備えている。なお、本明細書において、スクリーン構成部材の形態及び接合構造の形態にかかわらず、接合構造の符号として「２０」を用いる。
【００４１】
接合構造２０は、スクリーン構成部材同士を着脱可能に組み合わせることが可能であれば、特に限定はない。接合構造２０としては、例えば、スクリーン構成部材の一辺に形成された凹凸を挙げることができる。この接合構造２０は、具体的に、スクリーン構成部材の一辺にて、外側に突出した少なくとも１つの凸部又は内側に窪んだ少なくとも１つの凹部により構成される。この凸部及び凹部で構成された接合構造２０は、一のスクリーン構成部材に形成された凸部は、他のスクリーン構成部材に形成された凹部に嵌め込まれることによってスクリーン構成部材同士が接合される構造である。
【００４２】
接合構造２０としては、その他に、例えば、スクリーン構成部材の周縁にマグネットを設けて構成すること、面ファスナを設けて構成することなどを挙げることができる。
【００４３】
この実施形態のスクリーン１では、上記のように複数のスクリーン構成部材を接合されることによってスクリーン１が構成されるので、（１）映像を多面的に表示させること、（２）形状を自在に形成すること、（３）大きさを自在に変更することといった多様な用途に用いることが可能である。
【００４４】
以下、スクリーン１を構成するスクリーン構成部材の詳細、及びスクリーン１の種々の形態について、図面を適宜に参照しながら説明する。
【００４５】
［２］スクリーン構成部材
【００４６】
スクリーン構成部材は、スクリーンを構成する部材であり、所定の形状をなしている。スクリーン構成部材の形状は、例えば、三角形、四角形、五角形、六角形若しくは内角の数がそれ以上の多角形、円若しくは楕円等、周縁の全体が曲線で形成された図形、又は周縁が直線と曲線とで形成された図形等を採用することができる。本明細書で用いている「スクリーン構成部材」とは、（１）１つのスクリーンを複数の片に分割して構成された部材、（２）各スクリーン構成部材をそれぞれ別個に製造した部材の両方を含む。
【００４７】
スクリーン構成部材は、上記のように、画像形成層２Ａと基板層４とを少なくとも備えている。画像形成層２Ａは、光拡散層２と色調補正層３と積層して構成された層である。そして、このスクリーン構成部材は、周縁に設けられた接合構造２０でスクリーン構成部材同士を相互に接合することによってスクリーンを構成する。
【００４８】
まず、図２を参照し、スクリーン構成部材１０の形状及び接合構造２０の一例を説明する。なお、図２は、一実施形態のスクリーン構成部材１０及びスクリーン構成部材１０を接合させた形態を示す平面図である。
【００４９】
このスクリーン構成部材１０は、四角形をベースとして構成されており、スクリーン構成部材１０の周縁をなす４つの辺１１，１２，１３，１４に接合構造２０をそれぞれ備えている。スクリーン構成部材１０の４辺１１，１２，１３，１４に設けられた接合構造２０は、各辺１１，１２，１３，１４にて外側に突出する凸部２１，２２と、各辺１１，１２，１３，１４にて内側に窪んだ凹部２３，２４とによりそれぞれ構成されている。また、この接合構造２０は、光拡散層２、色調補正層３及び基板層４によって一体的に設けられている。
【００５０】
具体的に、スクリーン構成部材１０は、図２に示した向きに配置した場合において、上部側に位置する第１辺１１、右側に位置する第２辺１２、下側に位置する第３辺１３、及び左側に位置する第４辺１４に、２つの凸部２１，２２と２つの凹部２３，２４とをそれぞれ有している。
【００５１】
なお、図２から図４では、各図における上部側に位置する辺を第１辺１１、右側に位置する辺を第２辺１２、下側に位置する辺を第３辺１３、及び左側に位置する辺を第４辺１４として説明する。
【００５２】
第１辺１１は、スクリーンの右上部の位置に設けられた幅の狭い凸部２１、左右方向の中間部に設けられた幅の広い凸部２２、２つの凸部２１，２２の間に設けられた幅の狭い凹部２３、及びスクリーン構成部材１０の左上部にて相互に直交する２辺で形成された凹部２３を有している。第２辺１２は、スクリーンの右上部の位置に設けられた幅の狭い凸部２１、上下方向の中間部に設けられた幅の狭い凸部２１、２つの凸部２１，２２の間に設けられた幅の広い凹部２４、及びスクリーン構成部材１０の右下部にて相互に直交する２辺で形成された凹部２３を有している。第３辺１３は、スクリーン構成部材１０の右下部にて相互に直交する２辺で形成された凹部２３、左右方向の中間部に設けられた幅の広い凹部２４、２つの凹部２３，２４の間に設けられた幅の狭い凸部２１、及びスクリーン構成部材１０の左下部に設けられた幅の広い凸部２２を有している。そして、第４辺１４は、スクリーン構成部材１０の左上部にて相互に直交する２辺で形成された凹部２３、上下方向の中間部に設けられた幅の狭い凹部２３、２つの凹部２３，２４の間に設けられた幅の広い凸部２２、及びスクリーン構成部材１０の左下部に設けられた幅の広い凸部２２を有している。なお、スクリーン構成部材１０に設けられた凸部２１，２２及び凹部２３，２４は、いずれもその外形が矩形をなしている。
【００５３】
上記の接合構造２０を備えたスクリーン構成部材１０は、一のスクリーン構成部材１０の凸部２１，２２が他のスクリーン構成部材１０の凹部２３，２４に嵌め込まれることによってスクリーン構成部材１０同士が接合されるように構成されている。スクリーン構成部材１０が接合される態様について、図２を再度参照して具体的に説明する。なお、説明を容易にするために、中央に配置されているスクリーン構成部材の符号を１０Ａとし、下側に配置されているスクリーン構成部材の符号を１０Ｂとして説明する。
【００５４】
スクリーン構成部材１０Ａの第３辺１３の右下部に設けられた幅の狭い凸部２１は、スクリーン構成部材１０Ｂの第１辺１１の中間部に設けられた幅の狭い凹部２３に嵌め込まれ、スクリーン構成部材１０Ａの第３辺１３の左下部に設けられた幅の広い凸部２２は、スクリーン構成部材１０Ｂの第１辺１１の左上部に設けられた幅の広い凹部２４に嵌め込まれる。一方、スクリーン構成部材１０Ｂの第１辺１１の右上部に設けられた幅の狭い凸部２１は、スクリーン構成部材１０Ａの第３辺１３の右下部にて直交する２辺からなる凹部２３に嵌め込まれ、スクリーン構成部材１０Ｂの第１辺１１の中間部に設けられた幅の広い凸部２２は、スクリーン構成部材１０Ａの第３辺１３の中間部に設けられた幅の広い凹部２４に嵌め込まれる。
【００５５】
このように、凸部２１，２２と凹部２３，２４とにより構成された接合構造２０は、一のスクリーン構成部材１０の凸部２１，２２が他のスクリーン構成部材１０の凹部２３，２４に嵌め込まれることによって、一のスクリーン構成部材１０の凸部２１，２２が、他のスクリーン構成部材１０の欠損部分として構成されている凹部２３，２４を補完する態様で複数のスクリーン構成部材１０を接合する。
【００５６】
次に、図３を参照し、スクリーン構成部材を構成する光拡散層２、色調補正層３及び基板層４のうち、基板層４に接合構造２０が設けられたスクリーン構成部材１５及びこのスクリーン構成部材１５同士が接合された形態を説明する。このスクリーン構成部材１５及びスクリーン構成部材を接合して構成されたスクリーン１において、光拡散層２及び色調補正層３の少なくとも一方の周縁は、隣接するスクリーン構成部材の光拡散層２又は色調補正層３の周縁と接して各スクリーン構成部材１５が接合されている。なお、図３は、基板層４にのみ接合構造２０が形成されたスクリーン構成部材１５及びこのスクリーン構成部材１５を接合させた形態を示す平面図である。
【００５７】
なお、図３に示したスクリーン構成部材１５は、基板層４に接合構造２０を設けたこと以外の構成は、図２に示したスクリーン構成部材１０の構成と同様なので、同様の構成についての説明はここでは省略し、異なる構成のみについて説明する。
【００５８】
スクリーン構成部材１５の基板層４は、図３に実線で示したように、四角形をベースとして構成されており、スクリーン構成部材１５の周縁をなす４つの辺１１，１２，１３，１４に接合構造２０をそれぞれ備えている。スクリーン構成部材１５の４辺１１，１２，１３，１４に設けられた接合構造２０は、各辺１１，１２，１３，１４にて外側に突出する凸部２１，２２と、各辺１１，１２，１３，１４にて内側に窪んだ凹部２３，２４とによりそれぞれ構成されている。各辺１１，１２，１３，１４に設けられた凸部２１，２２及び凹部２３，２４は、図２に示したスクリーン構成部材１０の各辺１１，１２，１３，１４に設けられた凸部２１，２２及び凹部２３，２４の形態と同様である。これに対し、光拡散層２及び色調補正層３の外形は、図３の点線で示した四角形に形成されており、接合構造が設けられていない。
【００５９】
この図３に示すスクリーン構成部材１５の例では、以下に説明するように、基板層４が光拡散層２及び色調補正層３に積層されている。
【００６０】
第１辺１１及び第２辺１２では、光拡散層２及び色調補正層３の端縁の位置が基板層４に設けられた凹部２３，２４の底の位置に一致されており、基板層４に設けられた２つの凸部２１，２２が光拡散層２及び色調補正層３から外側に突出している。一方、第３辺１３及び第４辺１４では、光拡散層２及び色調補正層３の端縁の位置が基板層４に設けられた凸部２１，２２の先端の位置に一致されており、基板層４に設けられた各凹部２３，２４は光拡散層２及び色調補正層３によって覆われている。
【００６１】
上述した構成のスクリーン構成部材１５が接合されたときの態様について、図３を参照して具体的に説明する。なお、説明を容易にするために、中央に配置されているスクリーン構成部材の符号を１５Ａとし、下側に配置されているスクリーン構成部材の符号を１５Ｂとして説明する。
【００６２】
２つのスクリーン構成部材１５Ａ，１５Ｂは、各スクリーン構成部材１５Ａ，１５Ｂを構成する基板層４に設けられた一のスクリーン構成部材の凸部２１，２２が他のスクリーン構成部材の凹部２３，２４に嵌め込まれることによって接合される。このメカニズムは、図２に示した各スクリーン構成部材１０の凸部２１，２２が凹部２３，２４に嵌め込まれることによって接合されるメカニズムと同様である。
【００６３】
なお、スクリーン構成部材１５Ｂの第１辺１１では、基板層４に設けられた２つの凸部２１，２２だけが光拡散層２及び色調補正層３から外側に突出し、スクリーン構成部材１５Ａの第３辺１３では、基板層４に設けられた各凹部２３，２４は光拡散層２及び色調補正層３によって覆われている。そのため、接合されたスクリーン構成部材１５Ａの第３辺１３とスクリーン構成部材１５Ａの第１辺１１の部分では、光拡散層２及び色調補正層３が重複して重なり合うことない。また、光拡散層２及び色調補正層３が基板層４に重ならない領域が形成されることもない。
【００６４】
すなわち、複数のスクリーン構成部材１５を接合した場合、スクリーン構成部材１５の光拡散層２及び色調補正層３の少なくとも一方の周縁が、隣接するスクリーン構成部材１５の光拡散層２又は色調補正層３の周縁と接した形態で各スクリーン構成部材１５は接合される。そのため、接合されたスクリーン構成部材１５における接合構造２０の位置では、拡散層２又は色調補正層３に隙間が形成されることや、重なり合うことがない。
【００６５】
また、上述した「光拡散層２及び色調補正層３の少なくとも一方の周縁が、隣接するスクリーン構成部材１５の光拡散層２又は色調補正層３の周縁と接した形態で各スクリーン構成部材１５は接合される」とは、スクリーンとして機能するためには、光拡散層２及び色調補正層３の両方が相互に接していなくとも、どちらか一方が接していればよいということである。
【００６６】
本実施形態のスクリーン構成部材の形状、及び接合構造２０は、様々な形態に形成することができる。スクリーン構成部材の様々な形状及び接合構造２０の形態について、図４を参照して説明する。なお、図４は、種々の接合構造２０の形態を説明するために示したスクリーン構成部材の平面図である。
【００６７】
図４（Ａ）から図４（Ｃ）は、スクリーン構成部材の第１辺及び第２辺に凸部が１つだけそれぞれ設けられ、第３辺及び第４辺に凹部が１つだけそれぞれ設けられたスクリーン構成部材の形態を示している。
【００６８】
図４（Ａ）から図４（Ｃ）に示したスクリーン構成部材３０，４０，５０において、第１辺に設けられた凸部３１，４１，５１は、第１辺の左右方向における中間部にて外側に向けて突出し、第２辺に設けられた凸部３１，４１，５２は、第２辺の上下方向における中間部にて外側に向けて突出している。一方、第３辺に設けられた凹部３３，４３，５３は、第３辺の左右方向における中間部にて内側に向けて窪んでおり、第４辺に設けられた凹部３３，４３，５４は、第４辺の上下方向における中間部にて内側に向けて窪んでいる。
【００６９】
図４（Ａ）に示したスクリーン構成部材３０では、第１辺及び第２辺に設けられた凸部３１は、いずれも矩形をなし、第３辺及び第４辺に設けられた凹部３３は、いずれも矩形をなしている。図４（Ｂ）に示したスクリーン構成部材４０では、第１辺及び第２辺に設けられた凸部４１の縁部の形状は、いずれも曲線で形成され、第３辺及び第４辺に設けられた凹部４３の縁部の形状は、いずれも曲線で形成されている。なお、図４（Ｂ）に示したスクリーン構成部材４０における凸部４１及び凹部４３の縁部の形状は、楕円状をなしているが、半円状にそれぞれ形成してもよい。
【００７０】
図４（Ｃ）に示したスクリーン構成部材５０は、凸部５１，５２の先端側の幅が根元側の幅よりもそれぞれ広く形成され、凹部５３，５４の底部側の幅がスクリーン辺の周縁側の幅よりもそれぞれ広く形成されている。第１辺に設けられた凸部５１は、その両側部の辺が斜めに延びる直線状をなしており、台形状をなしている。また、第３辺に設けられた凹部５３は、その両側部の辺が斜めに延びる直線状をなしており、台形状をなしている。一方、第２辺に設けられた凸部５２は、その両側部の辺に段差が形成されており、根元側の幅が狭く、先端側の幅が広く形成されている。また、第４辺に設けられた凹部５４は、その両側部の辺に段差が形成されており、底部側の幅が広く、スクリーン構成部材の周縁側の幅が狭く形成されている。
【００７１】
以上、スクリーン構成部材の外形が四角形をベースにした場合を例に説明した。しかしながら、スクリーン構成部材は、その外形が四角形以外の多角形をベースにして形成することもできる。
【００７２】
図５は、直角三角形をベースに形成したスクリーン構成部材６０を２個組み合わせた形態を示した平面図である。各スクリーン構成部材６０Ａ，６０Ｂは、直角をなす２辺の一方の辺に、外側に向けて突出する凸部６１をそれぞれ備え、他方の辺に、内側に窪んだ凹部６３をそれぞれ備えている。これに対し、一方のスクリーン構成部材６０Ａの斜辺は、内側に窪んだ凹部６４を備え、他方のスクリーン構成部材６０Ｂの斜辺は、外側に突出する凸部６２を備えている。
【００７３】
２つのスクリーン構成部材６０Ａ，６０Ｂは、スクリーン構成部材６０Ｂの斜辺に設けられた凸部６２がスクリーン構成部材６０Ａの斜辺に設けられた凹部６４に嵌め込まれることによって接合される。
【００７４】
次に、多角形の周縁をなす辺のうち、１辺のみに接合部が設けられたスクリーン構成部材７０及びこのスクリーン構成部材７０を接合させた状態について、図６を参照して説明する。なお、図６は、１辺のみに接合部が設けられた２つのスクリーン構成部材７０及び２つのスクリーン構成部材７０で構成されたスクリーンを説明するための説明図である。
【００７５】
２つのスクリーン構成部材７０Ａ，７０Ｂは、図６（Ａ）に示すように、四角形をベースとしてそれぞれ形成されている。各スクリーン構成部材７０Ａ，７０Ｂは、４つの辺のうち１つの辺にのみ接合構造２０がそれぞれ設けられている。各スクリーン構成部材７０Ａ，７０Ｂの接合構造２０は、１辺に凸部７１と凹部７３とが交互に並べられて構成されている。
【００７６】
２つのスクリーン構成部材７０Ａ，７０Ｂは、図６（Ａ）に示すように、各スクリーン構成部材７０Ａ，７０Ｂの接合構造２０が設けられた辺同士を対向させ、図６（Ｂ）に示すように、スクリーン構成部材７０Ａの凸部７１をスクリーン構成部材７０Ｂの凹部７３に嵌め込ませると共に、スクリーン構成部材７０Ｂの凸部７１をスクリーン構成部材７０Ａの凹部７３に嵌め込ませることによって、１つのスクリーンを構成させている。
【００７７】
次に、図７を参照して、多角形を構成する辺のうち、２辺に接合構造２０を設けたスクリーン構成部材８０及びこのスクリーン構成部材８０を接合させた形態について説明する。なお、図７は、対向する２辺に接合部が設けられたスクリーン構成部材８０及びこのスクリーン構成部材８０を接合させた形態を示す平面図である。
【００７８】
図７に示したスクリーン構成部材８０は、四角形をベースとしてそれぞれ形成されている。各スクリーン構成部材８０は、４つの辺のうち対向する２つの辺に接合構造２０がそれぞれ設けられている。各スクリーン構成部材８０の接合構造２０は、各辺に凸部８１と凹部８３とが交互に並べられて構成されている。
【００７９】
このスクリーン構成部材８０を接合してスクリーンを構成する場合、複数のスクリーン構成部材８０が一列に並ぶように接合させる。接合するスクリーン構成部材８０は、構成されるスクリーンの所定の大きさに応じて必要な数だけ用いられる。スクリーン構成部材８０同士の接合は、接合構造２０が設けられた辺同士を対向させ、一のスクリーン構成部材８０の接合構造２０を構成する凸部８１を他のスクリーン構成部材８０の接合構造２０を構成する凹部８３に嵌め込ませると共に、他のスクリーン構成部材８０の接合構造２０を構成する凸部８１を一のスクリーン構成部材８０の接合構造２０を構成する凹部８３に嵌め込ませて行う。
【００８０】
このスクリーン構成部材８０は、複数のスクリーン構成部材８０を一列に並べて接合するだけでスクリーンを構成することができるので、細長いスクリーンを短時間で簡潔に構成させることが可能である。
【００８１】
次に、図８を参照して、周縁に曲線部を有するスクリーン構成部材８５及びこのスクリーン構成部材８５が複数接合された形態について説明する。なお、図８は、周縁に曲線部を有するスクリーン構成部材８５及びこのスクリーン構成部材８５同士を接合した形態を説明するための平面図である。
【００８２】
図８に示したスクリーン構成部材８５は、当該スクリーン構成部材８５の周縁をなす４つの領域から構成されている。周縁をなす４つの領域のうち対向する２つの領域８６は、直線状をなす辺としてそれぞれ構成されている。これに対し他の対向する２つの領域８７，８９は、曲線部８７ｂ，８９ｂを有している。
【００８３】
領域８７は、両側に設けられた肩部８７ａと、縁部が円弧状をなし、スクリーン構成部材８５の外側に向けて張り出す曲線部８７ｂと、曲線部８７ｂの頂部に形成された凸部８７ｃとにより構成されている。一方、領域８９は、両側に形成された肩部８９ａと、縁部が円弧状をなし、スクリーン構成部材８５の内側に向けて窪んだ曲線部８９ｂと、曲線部８９ａの最も窪んだ位置に形成された凹部８９ｃとにより構成されている。
【００８４】
このスクリーン構成部材８５を相互に接合してスクリーンを構成する場合、複数のスクリーン構成部材８５が一列に並べられて接合させる。具体的に、領域８７に形成された凸部８７ｃを領域８９に形成された凹部８９ｃに嵌め込ませ、領域８７と領域８９とを突き合わせることによって、スクリーン構成部材８５同士が相互に接合される。なお、このスクリーン構成部材８５についても、形成するスクリーンの所定の大きさに応じて必要な数だけスクリーン構成部材８５が用いられる。
【００８５】
次に、図９を参照して、周縁に曲線部を有する別形態のスクリーン構成部材９０、９５及びこのスクリーン構成部材９０，９５が複数接合されることによって構成されたスクリーン９９について説明する。なお、図９は、周縁に曲線部を有するスクリーン構成部材９０、９５を接合して形成されたスクリーン９９の平面図である。
【００８６】
スクリーン９９の外形は、円形をなしている。このスクリーン９９は、中央に配置されたスクリーン構成部材９０と、スクリーン構成部材９０の外周に配置された４つのスクリーン構成部材９５とが接合されることによって構成されている。
【００８７】
スクリーン構成部材９０は、その外周縁が円形をなしている。このスクリーン構成部材９０の外周縁には、中心側に向けて窪んだ４つの凹部９１が形成されている。各凹部９１は、スクリーン構成部材９０の外周縁を周方向に４等分した位置にそれぞれ形成されている。
【００８８】
スクリーン構成部材９５は、円弧状の外周縁９７ａと円弧状の内周縁９７ｂとを有している。また、スクリーン構成部材９５は、周方向の両側で外周縁９７ａと内周縁９７ｂとを結ぶ直線状の端部９８ａ，９８ｂを有している。スクリーン構成部材９５の周縁は、これらの４つの領域により構成されている。スクリーン構成部材９５の内周縁９７ｂ及び端部９８ａには、外側に向けて突出する凸部９６がそれぞれ形成されている。また、スクリーン構成部材９５の端部９８ｂには、内側に向けて窪んだ凹部９１が形成されている。
【００８９】
スクリーン９９は、中央に位置するスクリーン構成部材９０の外周縁に形成された凹部９１に、スクリーン構成部材９５の内周縁に形成された凸部９６が嵌め込まれるとともに、スクリーン構成部材９５の端部９８ｂに形成された凹部９１に端部９８ａに形成された凸部９６が嵌め込まれ、１つのスクリーン構成部材９０と４つのスクリーン構成部材９５とが接合されることによって構成される。
【００９０】
以上に説明したスクリーン構成部材の接合構造において、周縁に設けられる凸部及び凹部の数と寸法は、１つ１つのスクリーン構成部材の大きさに応じて適宜に形成される。すなわち、スクリーン構成部材の大きさが相対的に大きい場合、凸部及び凹部の数が多くなるように接合構造は形成される。また、スクリーン構成部材の大きさが相対的に大きい場合、凸部の幅及び凹部の幅が広くなるように形成され、凸部の高さを高くすると共に凹部の深さが深くなるよう形成される。
【００９１】
凸部及び凹部の数は多くなるように接合構造を形成した場合、接合構造に加わる負荷を分散させることができ、負荷が一ヶ所に集中することを抑制することができる。その結果、接合構造に負荷が加わった場合に接合構造が破損することを効果的に抑制することができる。また、凸部及び凹部の数は多くなるように接合構造を形成した場合、接合構造における接合強度を高めることができる。
【００９２】
ただし、凸部と凹部の数を不必要に多くした場合、個々の凸部の強度が低下してしまうため、凸部と凹部の数は、スクリーン構成部材の大きさに応じて適宜に設けるとよい。
【００９３】
凸部の幅及び凹部の幅が広くなるように形成した場合、各凸部の強度が向上されるので、接合構造の強度を高めることができ、接合構造が破損することを効果的に抑制することができる。また、凸部に凸部の高さが高くすると共に凹部の深さが深くなるよう形成した場合、接合構造における接合強度を向上させることができる。
【００９４】
以上、種々のスクリーン構成部材の構成及びスクリーン構成部材同士の接合の形態について説明した。以下では、これまでに説明したスクリーン構成部材を用いて構成されスクリーンの種々の構成について説明する。
【００９５】
［３］スクリーンの形態
まず、図１０を参照して、複数のスクリーン構成部材を用いて構成された平面状のスクリーン１００について説明する。なお、図１０は、スクリーン構成部材を複数接合して構成されたスクリーン１００の平面図である。
【００９６】
このスクリーン１００は、複数のスクリーン構成部材１０を接合させて、平板状に形成されると共に、その外形が長方形となるように構成されている。スクリーン１００を構成している複数のスクリーン構成部材１０は、図２に示したスクリーン構成部材１０である。
【００９７】
複数のスクリーン構成部材１０を用いてスクリーン１００を平板状かつ長方形に形成する場合、スクリーン構成部材１０を縦方向及び横方向に接合させて行う。スクリーン構成部材１０は、構成するスクリーン１００の大きさに応じた数だけ用いられる。
【００９８】
この図１０に示したスクリーン１００では、例えば、投射光をスクリーン１００に投射したときに、投射光がスクリーンの一部からはみ出してしまったような場合に、投射光がはみ出した部分にスクリーン構成部材１０を継ぎ足すことによって、映像を表示することが可能になる。
【００９９】
なお、図１０は、複数のスクリーン構成部材１０を平板状に接合することによって、平板状に形成されたスクリーン１００を例示したが、スクリーン構成部材１０同士をわずかに傾けて接合することによって、全体が湾曲したように形成されたスクリーンを形成することもできる。
【０１００】
次に、図１１を参照して、映像が表示されない非表示領域１１５を備えたスクリーン１１０について説明する。なお、図１１は、映像が表示されない非表示領域１１５を備えたスクリーン１１０の平面図である。
【０１０１】
図１１に示したスクリーン１１０は、スクリーン１１０の一部に映像を表示させることできない場合、又は表示させる必要がない場合に用いられるスクリーン１１０である。このスクリーン１１０は、映像を表示させる領域にのみスクリーン構成部材１０が配置されている。一方、映像を表示させない非表示領域１１５にはスクリーン構成部材１０が配置されず、スクリーン構成部材１０が存在しない欠損領域が設けられている。図１１において、一点鎖線で示した領域が非表示領域１１５である。
【０１０２】
スクリーン構成部材１０が存在しない欠損領域を設けることによって、非表示領域１１５を設けたスクリーン１１０は、次の場合に有効活用することができる。
【０１０３】
（１）スクリーン１１０を設置する場所に障害物２００等が存在する場合
スクリーン１１０を設置する場所に、障害物２００等が存在し、その場所に四角形のスクリーン１１０を設置することができない場合、障害物２００等を回避してスクリーン１１０を設置することができる。例えば、スクリーン１１０を設置する場所に、図１１の破線で示した障害物２００が存在すると仮定する。この場合、障害物２００の周囲にスクリーン１１０が配置されるように、複数のスクリーン構成部材１０を接合してスクリーン１１０を構成する。障害物２００を回避してスクリーン構成部材１０を接合した場合、障害物２００が存在する部分に対応する領域が非表示領域１１５として構成される。
【０１０４】
（２）映像の一部分を表示させることが不要な場合
映像の一部分を表示させること不要な場合、その一部分に対応する領域に、スクリーン構成部材１０が存在しない欠損領域を設けることによって、非表示領域１１５を設ける。この形態の非表示領域１１５を備えたスクリーン１１０では、スクリーン構成部材１０が存在する領域は、光源ＬＳから投射された投射光に基づいて映像を表示する一方で、非表示領域１１５は、映像を表示することがない。
【０１０５】
次に、スクリーン構成部材の広がる方向が相互に傾けられて、スクリーン構成部材同士が接合される部分が設けられることによって立体的に組み合わされているスクリーンの例を説明する。
【０１０６】
まず、図１２を参照して、映像を表示する面が複数存在する多面構造のスクリーン１２０の一例を説明する。なお、図１２は、複数の面で構成された多面構造のスクリーン１２０の一例を示す斜視図である。
【０１０７】
図１２に示す多面構造のスクリーン１２０は、平行に配置された２枚のスクリーン１２１，１２２と、この２枚のスクリーン１２１，１２２を連結している連結用スクリーン１２３とで構成されている。なお、２枚のスクリーン１２１，１２２及び連結用スクリーン１２３は、図２に示したスクリーン構成部材１０を複数接合することによってそれぞれ構成されている。
【０１０８】
２枚のスクリーン１２１，１２２は、一定の間隔を空けて平行をなして配置されている。この２枚のスクリーン１２１，１２２は、スクリーン１２１，１２２が延びる方向にずれた位置に配置されており、一方のスクリーン１２１の一方側の端縁の位置と、他方のスクリーン１２２の他方側の端縁の位置とが一致されている。なお、２枚のスクリーン１２１，１２２の間隔は、必要に応じて適切な距離を空けて配置される。
【０１０９】
連結用スクリーン１２３は、２枚のスクリーン１２１，１２２に対して直交する向きに配置されている。そして、連結用スクリーン１２３の一端側は、一方のスクリーン１２１の一方側の端縁に接合され、他端側は、他方のスクリーン１２２の他方側の端縁に接合されている。
【０１１０】
平行をなす２枚のスクリーン１２１，１２２と連結用スクリーン１２３の接合は、各スクリーン１２１，１２２を構成しているスクリーン構成部材１０に設けられた接合構造２０を利用して行われている。具体的に、平行をなす２枚のスクリーンを構成するスクリーン構成部材１０の接合構造２０の凸部２１，２２が、連結用スクリーン１２３を構成するスクリーン構成部材１０の接合構造２０の凹部２３，２４に嵌め込まれ、連結用スクリーン１２３を構成するスクリーン構成部材１０の接合構造２０の凸部２１，２２が、平行をなす２枚のスクリーン１２１，１２２を構成するスクリーン構成部材１０の接合構造２０の凹部２３，２４に嵌め込まれている。
【０１１１】
図１２に示した多面構造のスクリーン１２０では、３枚のスクリーン１２１，１２２，１２３毎に図示しない光源ＬＳを設け、各光源ＬＳから投射光を各スクリーン１２１，１２２，１２３に投射することによって、スクリーン１２１，１２２，１２３毎に異なる映像を表示させることできる。ただし、平行をなす２枚のスクリーン１２１，１２２には、１つの光源ＬＳから投射光を投射させて映像を表示させることもできる。
【０１１２】
なお、平行をなすスクリーンと、平行をなすスクリーンに直交するスクリーンとで多面構造のスクリーンを構成する場合、上記下した３枚のスクリーン１２１，１２２，１２３だけで構成することには限定されない。多面構造のスクリーンは、相互に並行をなすスクリーンを３枚以上設け、平行に配置されたスクリーンの間に連結用スクリーン１２３を配置することによって、階段状に構成することもできる。
【０１１３】
また、相互に平行をなすスクリーンと連結用スクリーン１２３とのなす角度は直角であることには限定されず、相互に平行をなすスクリーンと連結用スクリーン１２３とのなす角度が鈍角をなすように形成することもできる。その場合、相互に平行をなすスクリーンの一方のスクリーンの一方側の端縁の位置と他方のスクリーンの他方側の端縁の位置とは、スクリーンが延びる方向において一定の距離を空けて配置される。
【０１１４】
次に図１３を参照して、２枚のスクリーン１３１，１３２が相互に傾けられた接合された多面構造のスクリーン１３０について説明する。なお、図１３は、２枚のスクリーン１３１，１３２が相互に傾けられて接合された多面構造のスクリーン１３０の一例を示す斜視図である。
【０１１５】
図１３に示す多面構造のスクリーン１３０は、２枚のスクリーン１３１，１３２の端縁同士を接合させることによって構成されている。この多面構造のスクリーン１３０では、２枚のスクリーン１３１，１３２が９０度を超え、１８０度未満の角度をなして接合される。なお、２枚のスクリーン１３１，１３２は、図２に示したスクリーン構成部材１０を複数接合することによってそれぞれ構成されている。
【０１１６】
２枚のスクリーン１３１，１３２同士の接合は、各スクリーン１３１，１３２を構成しているスクリーン構成部材１０に設けられた接合構造２０を利用して行われている。具体的に、一方のスクリーン１３１を構成するスクリーン構成部材１０の接合構造２０の凸部２１，２２が、他方のスクリーン１３２を構成するスクリーン構成部材１０の接合構造２０の凹部２３，２４に嵌め込まれ、他方のスクリーン１３２を構成するスクリーン構成部材１０の接合構造２０の凸部２１，２２が、一方のスクリーン１３１を構成するスクリーン構成部材１０の接合構造２０の凹部２３，２４に嵌め込まれている。
【０１１７】
なお、図１３に示した多面構造のスクリーン１３０では、図１３に示した２枚のスクリーン１３１，１３２を１つの単位とし、この単位が連続して連なるように接合することによって、別構造の多面構造のスクリーンを構成することもできる。
【０１１８】
この図１３に示した多面構造のスクリーン１３０についても、スクリーン１３１，１３２毎に図示しない光源ＬＳを設け、各光源ＬＳから投射光を各スクリーン１３１，１３２に投射することによって、スクリーン１３１，１３２毎に異なる映像を表示させることできる。
【０１１９】
次に、図１４を参照して、周面及び上面がスクリーンで構成された多面構造のスクリーン１４０について説明する。なお、図１４は、周面及び上面がスクリーンで構成された多面構造のスクリーン１４０を説明するための説明図である。
【０１２０】
図１４に示す多面構造のスクリーンは、前後左右の４方向を囲む周面スクリーン１４５と、上面を構成する上面スクリーン１４６とによって構成されている。ただし、必要に応じて、下面を構成する下面スクリーンを設けることもできる。なお、周面スクリーン１４０を構成する４枚のスクリーン１４１，１４２，１４３，１４４及び上面スクリーン１４６は、図２に示したスクリーン構成部材１０を複数接合することによってそれぞれ構成されている。
【０１２１】
この多面構造のスクリーン１４０においても、各面をなすスクリーン１４１，１４２，１４３，１４４，１４６同士は、スクリーン１４１，１４２，１４３，１４４，１４６を構成するスクリーン構成部材１０に設けられた接合構造２０を利用して接合されている。
【０１２２】
具体的に、周面スクリーン１４５を構成する４枚のスクリーン１４１，１４２，１４３，１４４は、直角をなして隣り合っている一方のスクリーン（例えば、スクリーン１４１）を構成するスクリーン構成部材１０の接合構造２０の凸部２１，２２が、他方のスクリーン（例えば、スクリーン１４４）を構成するスクリーン構成部材１０の接合構造２０の凹部２３，２４に嵌め込まれ、他方のスクリーン（例えば、スクリーン１４４）を構成するスクリーン構成部材１０の接合構造２０の凸部２１，２２が、一方のスクリーン（例えば、スクリーン１４１）を構成するスクリーン構成部材１０の接合構造２０の凹部２３，２４に嵌め込まれている。
【０１２３】
同様に、周面スクリーン１４５を構成するスクリーン構成部材１０の接合構造２０の凸部２１，２２が、上面スクリーン１４６を構成するスクリーン構成部材１０の接合構造２０の凹部２３，２４に嵌め込まれ、上面スクリーン１４６を構成するスクリーン構成部材１０の接合構造２０の凸部２１，２２が、周面スクリーン１４５を構成するスクリーン構成部材１０の接合構造２０の凹部２３，２４に嵌め込まれている。
【０１２４】
なお、当該多面構造のスクリーン１４０では、スクリーン１４０の内側に人が入り、内側からスクリーン１４０に映し出された映像を観察することができるように、周面スクリーン１４５を構成する４枚のスクリーン１４１，１４２，１４３，１４４のうち、少なくとも１枚のスクリーンに出入口１５０が設けられている。
【０１２５】
この多面構造のスクリーン１４０では、４枚のスクリーン１４１，１４２，１４３，１４４からなる周面スクリーン１４５に対応する４つの図示しない光源ＬＳが設けられ、４つの光源ＬＳから投射光が４枚の各スクリーン１４１，１４２，１４３，１４４に投射される。また、上面スクリーン１４６ついても、上面スクリーン１４６に対応する図示しない光源ＬＳが設けられ、光源ＬＳから投射光が上面スクリーン１４６に投射される。そのため、スクリーン毎に異なる映像が表示される。
【０１２６】
次に、図１５を参照して、切頂二十面体に形成された多面構造のスクリーンの概要を説明する。なお、図１５は、切頂二十面体に形成された多面構造のスクリーンの一部を切り欠いた斜視図である。
【０１２７】
図１５に示した多面構造のスクリーン１５０は、２０枚の正六角形をなす部材１５１と１２枚の正五角形をなす部材１５２とが組み合わされ、切頂二十面体に形成されている。正六角形をなす部材１５１及び正五角形をなす部材１５２は、例えば、図２に示したスクリーン構成部材１０を複数接合して形成してもよいし、一枚のスクリーン構成部材を正六角形及び正五角形に形成してもよい。
【０１２８】
この多面構造のスクリーン１５０は、正六角形をなす部材１５１及び正五角形をなす部材１５２で形成された切頂二十面体の全体がスクリーンを構成し、その内部から観察者Ｏがスクリーン１５０に表示される映像を観測することが可能になっている。
【０１２９】
以上に説明してきた各スクリーンを構成するスクリーン構成部材の各層は、すべて樹脂で構成されているので、液体の中にスクリーンを沈めて用いることも可能である。液体の中にスクリーンを沈めて用いる形態としては、例えば、スクリーンを液体が満たされた液体槽の内部に沈めて用いることを挙げることができる。図１６を参照し、液体が満たされた液体槽２５０にスクリーン１００を沈めて用いる形態の一例を説明する。なお、図１６は、液体の中にスクリーン１００を沈めて用いる形態の一例を説明するための説明図である。
【０１３０】
液体槽２５０の内部には、水などの所定の液体が満たされており、スクリーン１００は、液体槽２５０の内部に満たされた液体に沈められている。また、液体槽２５０には、保持スタンド２５１が設けられている。この保持スタンド２５１は、スクリーン１００を保持し、スクリーンの姿勢を液体内で一定に維持させている。
【０１３１】
この図１６に示した例では、液体槽２５０を間に挟み、一方側に光源ＬＳが配置され、他方側に観察者Ｏが位置している。液体槽２５０の一方側に配置された光源ＬＳは、液体槽２５０内のスクリーン１００に向けて投射光を照射し、スクリーン１００に映像を表示させている。そして、液体槽２５０の他方側に位置する観察者Ｏは、スクリーン１００に表示された映像を液体槽２５０の外から観察する。
【０１３２】
以上に説明したスクリーンは、一般的に映像を表示させる用途に用いることができることはもちろん、プロジェクションマッピングとして用いること、アミューズメントパークに用いること、プラネタリウムに用いること、不動産物件の内装を表示することに用いることなど、様々な用途に用いることができる。
【符号の説明】
【０１３３】
１  …  スクリーン
２Ａ…  画像形成層
２  …  光拡散層
２ａ  …  ベース部
２ｂ  …  拡散成分
３  …  色調補正層
４  …  基板層
５  …  接着層
６  …  コントラスト低下等を防止するための層
１０  …  スクリーン構成部材
１５  …  スクリーン構成部材
２０  …  接合構造
２１  …  凸部
２２  …  凸部
２３  …  凹部
２４  …  凹部
３０，４０，５０，６０，７０，８０  …  スクリーン構成部材
８５，９０，９５  …  スクリーン構成部材
３１，４１，５１，５２，６１，６２，７１，８１  …  凸部
８７ｃ，９６  …  凸部
３３、４３，５３，５４，６３，６４，７３，８３  …  凹部
８９ｃ，９１  …  凹部
１００，１１０  …  スクリーン
１２０，１３０，１４０，１５０  …  多面構造のスクリーン
１２１，１２２  …  スクリーン
１３１，１３２  …  スクリーン
１４１，１４２，１４３，１４４  …  スクリーン
１４５  …  周面スクリーン
１４６  …  上面スクリーン
【図１】
2017026982.tif 000003
【図２】
2017026982.tif 000004
【図３】
2017026982.tif 000005
【図４】
2017026982.tif 000006
【図５】
2017026982.tif 000007
【図６】
2017026982.tif 000008
【図７】
2017026982.tif 000009
【図８】
2017026982.tif 000010
【図９】
2017026982.tif 000011
【図１０】
2017026982.tif 000012
【図１１】
2017026982.tif 000013
【図１２】
2017026982.tif 000014
【図１３】
2017026982.tif 000015
【図１４】
2017026982.tif 000016
【図１５】
2017026982.tif 000017
【図１６】
2017026982.tif 000018